(57)【特許請求の範囲】
【請求項１】
基台に立設された支柱に上下摺動自在に嵌装された支持アームの先端部にロッドを上下摺動自在に抱持する抱持金物を設け、該ロッドの下端には下面全体が平滑な傾斜面に形成された支持金物が取付けられ、該支持金物の上記傾斜面と直角方向に貫挿した締付け用シャフトの下方は該傾斜面と摺接する回転ブロックの軸心部を貫通してその下端は該ブロック外側に設けた圧接板に固定することにより該ブロックを回動自在に軸支し、上記シャフトの頭部外周にはネジを螺設して該シャフト頭部にはレバーを備えるネジキャップを螺合すると共に、シャフト中間部には直角方向にピンを貫挿して支持金物のシャフト挿通孔に一体に形成したキー溝に嵌合させることにより該シャフトを回動不能で上下動可能に構成し、上記支持金物には上記シャフト挿通孔と平行する貫通孔を開設し、該貫通孔には鋼球を挿入してその上側に設けた圧縮コイルスプリングにより該鋼球を該貫通孔下端から突出するように賦勢し、上記回転ブロックの外周には測定杆、炭素棒、アンダーカットゲージ等の測定用又は加工用の部品を着脱自在に保持するためのホルダーを少なくとも２個以上螺着し、上記支持金物の傾斜面に摺接する該回転ブロック上面には上記ホルダーの数に相応して各ホルダーが真下を向いたときに上記鋼球の一部が嵌合可能な位置にＶ型溝が凹設されてなることを特徴とする歯科用サベヤー。
【請求項２】
前記ロッドの一側面にはその長さ方向に沿って凹溝が形成され、該ロッドを抱持する抱持金物には該凹溝に向って貫通孔が開設され、該貫通孔内には鋼球と該鋼球を押圧する圧縮コイルスプリングを挿入して、該鋼球の一部が上記凹溝に嵌合して圧接するように賦勢されてなる請求項１記載の歯科用サベヤー。
【請求項３】
前記回転ブロックの外周にはホルダーを取付けるためのネジ孔が設けられ、該ネジ孔に螺入する套菅内には支持軸が摺動自在に挿入され、該套菅より外側に突出する該支持軸の下端には軸心を同じくする円柱状のホルダー本体が取付け固定され、該支持軸の上部外周には圧接コイルスプリングが巻装されてホルダー本体は引き上げ方向に賦勢されていると共に該支持軸を中心に水平方向に回動自在に構成され、かつ該ホルダー本体は前記測定杆等の測定用あるいは加工用の部品を上記支持軸と軸心を同じくして着脱自在に保持可能に構成されてなる請求項１又は２記載の歯科用サベヤー。
【発明の詳細な説明】
【０００１】
【発明の属する技術分野】
本発明は、義歯の設計や製作を行うための歯科技工用機器であるサベヤー、即ち患者から採取した歯列顎模型における残存歯（維持歯）の豊隆部にサベライン（最高豊隆線）を描いてバーや義歯床などの外形設計を行う等の目的のために使用する機器に関するものである。
【０００２】
【従来の技術】
従来のサベヤーは、通常基台に立設された支柱に基部が上下摺動自在に支持された水平旋回可能な水平アームを備え、該アームの先端部に垂直方向に摺動自在の軸体が支持され、該軸体の下端部には種々の測定用あるいは加工用の部品を取付けるためのネジ付き保持具が設けられている。
【０００３】
上記測定用又は加工用部品としては、特に鉤を掛ける鉤歯（支台歯）を主とする残存歯と歯槽部のアンダーカットを計測し、義歯の適切な着脱方向等を決定するための測定杆（アナライジングロッド）、残存歯や歯槽部にサベイラインを描記するための炭素棒（カーボンマーカー）、義歯の維持に必要な鉤尖（鉤先端部）のアンダーカット量を計測するために先端つばの大きさがわずかに異なる３種のアンダーカットゲージ、その他に不要なアンダーカットをワックスで閉塞したときにこれを修正するためのデーパトゥール、義歯製作時にアンダーカット部の余分なワックスや石膏を着脱方向と平行となるように削り取るためのワックストリマーなどがあり、目的をする作業に応じていちいちこれら部品に交換し、上記先端保持具に取付けなければならなかった。
【０００４】
そこで、これを少しでも省力化するため、支柱に対して互いに反対側に水平アームを備え、この両アーム先端に上下摺動自在の軸体を取付け、両軸体下端に上記した測定用又は加工用部品を脱着するようにしたサベヤーも提案されているが（特開平８−１９６５５６号公報）、これでは作業スペースが大きくなるだけでなく、測定やサベイラインの描記の正確性にも不安がある。
【０００５】
【発明が解決しようとする課題】
本発明は、１本の軸体に少なくとも２種以上の測定用あるいは加工用の部品を同時に取付けることができ、使用せんとする部品への変更も交換することなく簡単な操作で確実になし得るようにした歯科用サベヤーを提案するものである。
【０００６】
【課題を解決するための手段】
即ち、本発明は、基台に立設された支柱に上下摺動自在に嵌装された支持アームの先端部にロッドを上下摺動自在に抱持する抱持金物を設け、該ロッドの下端には下面全体が平滑な傾斜面に形成された支持金物が取付けられ、該支持金物の上記傾斜面と直角方向に貫挿した締付け用シャフトの下方は該傾斜面と摺接する回転ブロックの軸心部を貫通してその下端は該ブロック外側に設けた圧接板に固定することにより該ブロックを回動自在に軸支し、上記シャフトの頭部外周にはネジを螺設して該シャフト頭部にはレバーを備えるネジキャップを螺合すると共に、シャフト中間部には直角方向にピンを貫挿して支持金物のシャフト挿通孔に一体に形成したキー溝に嵌合させることにより該シャフトを回動不能で上下動可能に構成し、上記支持金物には上記シャフト挿通孔と平行する貫通孔を開設し、該貫通孔には鋼球を挿入してその上側に設けた圧縮コイルスプリングにより該鋼球を該貫通孔下端から突出するように賦勢し、上記回転ブロックの外周には測定杆、炭素棒、アンダーカットゲージ等の測定用又は加工用の部品を着脱自在に保持するためのホルダーを少なくとも２個以上螺着し、上記支持金物の傾斜面に摺接する該回転ブロック上面には上記ホルダーの数に相応して各ホルダーが真下を向いたときに上記鋼球の一部が嵌合可能な位置にＶ型溝が凹設されてなることを特徴とする歯科用サベヤーに関するものである。
【０００７】
また、ねじを緩めたときにロッドが自重で落下しないようにするため、本発明では、前記ロッドの一側面にはその長さ方向に沿って凹溝が形成され、該ロッドを抱持する抱持金物には該凹溝に向って貫通孔が開設され、該貫通孔内には鋼球と該鋼球を押圧する圧縮コイルスプリングを挿入して、該鋼球の一部が上記凹溝に嵌合して圧接するように賦勢されている。
以下、本発明の実施形態を図により説明する。
【０００８】
【発明の実施の形態】
図１は本発明に係る歯科用サベヤーの一例を示す全体側面図、図２は要部の拡大断面図であり、１は基部が基台２の隅部に立設された支柱３に上下摺動自在に嵌装された支持アームで、該アーム１は支柱３を中心として水平旋回可能に構成され、該アーム１の先端部にはロッド４を上下摺動自在に抱持する抱持金物５が一体に設けられている。
【０００９】
６は上記ロッド４下端部に被せるように取付けた支持金物で、該支持金物６の下端部は全体が平滑な傾斜面６ａ（図では水平面に対して角度４５°）となっており、該傾斜面６ａの中央部には後述する締付け用シャフト７が該面６ａと直角方向に突出していて、該シャフト７には複数個の測定用あるいは加工用の部品が着脱自在に取付けられる回転ブロック８が空転可能に軸着され、シャフト７を緩めれば該ブロック８がシャフト７を中心に上記傾斜面６ａを摺接しながら自由に回動できるようになっている。
【００１０】
上記支持金物６の上半部６ｂは上記ロッド４の外径に等しい内径を有する筒型に形成され、該ロッド下端部外周に装着してビス止めしてあり、下半部は下面全体が上記傾斜面６ａに形成され、前側が多少前方へ突出して前面中央部に凹部９が形成され、該凹部９の内底面は上記傾斜面６ａと平行する。
【００１１】
７は上記凹部９内底面の奥部に上記傾斜面６ａと直角方向に開設したシャフト挿通孔１０に貫挿した締付け用シャフトで、該シャフト７の先端部は後記する回転ブロック８軸心部の挿通孔３０を貫通して、該ブロック８外面に形成した凹窪１１に設けた圧接板１２中央部にネジ固定され、回転ブロック８を回動自在に軸支している。
【００１２】
シャフト挿通孔１０を開設した支持金物６の上記凹部９内底面の該孔１０外周の対向位置には浅いキー溝１３が一体が形成されており、該キー溝１３内には上記シャフト７上方に直角方向に貫挿固定した短尺なピン１４の両端部が嵌合し、これにより該シャフト７は回転不能であるが挿通孔１０内を上下方向には多少摺動できるように構成されている。
【００１３】
また、締付け用シャフト７の上記凹部９内底面より上方に突出する部分の外周にはネジ７ａが螺設され、該ネジ７ａ部分には内面に該ネジ７ａと螺合するメネジを設けたネジキャップ１５が被せられ、該ネジキャップ１５の側面にはレバー１６が突設されていて、該レバー１６を指で旋回操作することによりネジキャップ１５を回し、上記の通りシャフト７を回動させることなく引き上げ、該シャフト７下端の圧接板１２を回転ブロック８に強圧させることによって支持金物６の傾斜面６ａに回転ブロック８上面の傾斜面８ａを圧接させて、回転ブロック８の回転を規制し、またレバー１６を反対方向に旋回させることによって回転ブロック８の支持金物６への圧接を解いて回転ブロック８を手でつかんで自由に回動させることができるようになっている。
【００１４】
回転ブロック８は、比較的扁平な全体略裁頭円錐形の外周に指掛けとなる凹部を等間隔に複数個所（図では４個所）形成した金属ブロックであって、全体が前記支持金物６の下端傾斜面６ａの傾斜角度にならって傾斜していて、上記締付け用シャフト７に回動自在に軸支されている。
【００１５】
支持金物６の傾斜面６ａに摺接する回転ブロック８の上方傾斜面８ａは支持金物傾斜面６ａよりやや大きく、該ブロック傾斜面８ａのややシャフト７側に寄せて短尺なＶ型溝１７が放射状に４本形成されている。
【００１６】
１８は支持金物６の凹部９内底面の上記シャフト挿通孔１０より手前でかつ上記Ｖ型溝１７の回転軌跡上に開設された貫通孔１９内に挿入された鋼球で、該鋼球１８はその上側に挿入された圧縮コイルスプリング２０に押圧されて貫通孔１９下端から突出するように賦勢されている。
【００１７】
これにより、締付け用シャフト７を緩めて回転ブロック８が支持金物６の傾斜面６ａに摺接しながら自由に回動できる状態にあるとき、上記鋼球１８は回転ブロック８を回動させてその上面のＶ型溝１７に合致したときに、該溝１７内にその一部が弾力的に浅く嵌合し（Ｖ型溝１７の深さは鋼球１８の半径と同程度である）、回転ブロック８の回動をある程度の力で阻止し、上記スプリング２０の力に抗して手で該ブロック８を更に回せば、鋼球１８はＶ型溝１７との嵌合から比較的容易に離脱させることができるようになっている。
【００１８】
２１は測定杆５０や炭素棒５１、アンダーカットゲージ５２等の測定用あるいは加工用の部品を着脱自在に保持可能な複数個のホルダーで、該ホルダー２１はその基部を回転ブロック８の外周に螺着し、指でつまんで回転操作することにより回転ブロック８から自由に脱着できるよう構成されている。
【００１９】
前記のように、回転ブロック８自体は支持金物６に全体が傾斜して取付けられているが、上記ホルダー２１及びこれに取付ける測定杆５０等の部品は垂直に取付けて真下を向くようにしなければならない。そこで、上記した支持金物６側の鋼球１８が回転ブロック８側の複数個所のＶ型溝１７に嵌合する毎に、該ブロック８の最も下側位置に来る面に上記ホルダー２１基部が螺合するネジ孔２２を垂直方向に形成するようにする。
【００２０】
この実施例図では、Ｖ型溝１７は回転ブロック８上面に４個所設けられているので、ホルダー２１用のネジ孔２２も４個所設けられ、例えば鋼球１８が嵌合したときの各Ｖ型溝１７から垂線を降ろした回転ブロック８の下側面の部位にネジ孔２２を螺設する。
【００２１】
このＶ型溝１７は４個所に限られず、回転ブロック８上面の鋼球１８が嵌合し得る同心円上であれば、少なくとも２個所以上あればよく、５〜８個所でもよい。ただし、Ｖ型溝１７の数はホルダー２１の数、従って各ホルダー１７に取付ける測定用等の部品の数に対応するので、あまりに当該部品の取付け数が多くて使用していない部品が使用中の部品のそばにあると測定時等に邪魔となるので、Ｖ型溝１７は２〜８個所程度が適当である。
【００２２】
ところで、抱持金物５が抱持するロッド４下端部には前記した通り支持金物６や回転ブロック８等の金属部品が取付けられて相当の重量があり、これを図示のような１個の小さな押ねじ２３だけでロッド４を固定するには不安があり、しかも例えば測定杆５０やアンダーカットゲージ５２により基台２上に載せた歯列顎模型５３の鉤歯等を測定するときには、ロッド４を緩やかに昇降調整する必要があり、もし押しネジ２３を緩め過ぎたときには、その自重でロッド４が一気に落下して下方の歯列顎模型５３や測定杆５０等の測定子自体も損傷する危険がある。
【００２３】
そこで、図示の例では、押ねじ２３を緩めても、ロッド４の昇降に制動がかかるようになっている。即ち、ロッド４の一側面にはその長さ方向に沿って全体に凹溝２４が形成されており、一方抱持金物５には該凹溝２４に向って貫通孔２５が上下２個所開設され、各貫通孔２５内には鋼球２６と該鋼球２６を押圧する圧縮コイルスプリング２７が挿入されていて、該鋼球２６の一部が凹溝２４に食い込んで常に圧接するように賦勢されており、押ネジ２３を緩めたときに、手で操作すればロッド４を昇降させることはできるが、手を離してもロッド４は降下しないように調整されている。
【００２４】
なお、同様の構成をアーム１基部の支柱３への嵌装部１ａにも設けて、押ネジ２８を緩めてもアーム１に制動がかかって落下しないようにしてもよいことは勿論である。
【００２５】
ところで、図１〜３に図示されるホルダー２１は、基部が回転ブロック８外周のネジ孔２２に螺入され、先端面軸心部には測定杆５０等の測定子基部を挿入する挿入孔が奥部まで形成されていると共にその外周面にはネジ溝が形成され、その外側に螺合したロックナット状のつまみを回して、このつまみ内側先端部に挿入してある割り溝付きの円筒状樹脂体を押し潰すことにより測定子基部を強圧固定するようになっている。
【００２６】
しかし、このように測定子が回転ブロック８にガッチリと固定されているときには、基台２上に置いた歯列顎模型５３の測定中に測定子が該模型５３に強く当ると、該模型５３を損傷するだけでなく、測定子自体も変形することがあり、測定子の変形を知らずに測定を行うと、不正確な測定となって、義歯製作上致命的な欠陥を生じてしまう。また、測定子として炭素棒５１を使用してサベイラインを描いていると、炭素棒５１に片減りが生じるので、その場合にはいちいちつまみを回して炭素棒５１の挿入位置を変えなければならない。
【００２７】
そこで、図４〜７は、これを解決するため、このホルダーの他の機構を示しており、通常はホルダーはスプリングにより上昇させておき、測定子による測定の際にはホルダーを引っ張り降ろしながら使用し、またホルダー自体は３６０°自由に水平方向に軸回転できるように構成されている。
【００２８】
即ち、３１は上記回転ブロック８外周の複数のネジ孔２２にそれぞれ螺入する套菅で、該套菅３１内には支持軸３２が摺動自在に挿入され、該支持軸３２下端には後記するホルダー本体３４がその軸心を上記支持軸３２の軸心と合致するようにして取付け固定されている。
【００２９】
また、上記套菅３１の内周面上方は多少拡径されていて、該拡径部内の支持軸３２外周には圧縮コイルスプリング３３が巻装され、これによりホルダー本体３４は該スプリング３３により常に引き上げ方向に賦勢されていると共に支持軸３２を中心に水平方向に回動自在に構成されている。
【００３０】
３４は套菅３１より大径な短尺円柱状のホルダー本体で、該ホルダー本体３４の中間部には軸心部を水平方向に貫通する貫通孔３５が開設され、該貫通孔３５の一方口のホルダー本体３４外周面には測定杆５０等の測定子の基部の直径にほぼ合致する幅でホルダー本体３４軸心部に至る縦スリット３６が開設されている。
【００３１】
３７は上記貫通孔３５内に挿通可能で先方が二股に形成された軸体で、該軸体３７は上記貫通孔３５より長く、その基部側外周にはネジ溝が形成されていて、その外側につまみナット３８が螺合され、先方の二股部３７ａ先端部間には上記縦スリット３６幅と長さにほぼ合致する大きさの駒３９を挿入して、該駒３９の上下中間部を軸支４０し、該駒３９は上下方向に回転自在となっている。
【００３２】
そこで、測定杆５０等の測定子をホルダー本体３４に取付けるときは、上記軸体３７の駒３９より内側の二股部３７ａをホルダー本体３４軸心部に移動させて縦スリット３６奥部と合致させてから、下方から測定子５０の基部をホルダー本体３４の軸心部に挿入し、つまみナット３８を指で回して駒３９を縦スリット３６内で軸心方向へ引き寄せるようにスライドさせて行き、該駒３９の内端で測定子基部を縦スリット３６奥端に向けて圧接することにより、測定子５０をホルダー本体３４軸心部に垂設固定する。
【００３３】
これにより、ホルダー本体３４はスプリング３３の押上げ力により通常は套菅３１下端に当接しているが、測定子５０により歯列顎模型５３を測定するときには、ホルダー本体３４を指でつかんで引き降したまま使用するようにし、歯列模顎型５３を基台２上で移動させるようなときには、ホルダー本体３４を指から離せば、スプリング３３力によって引き上げられるので、測定子５０が模型５３に接触する心配がなく、模型５３や測定子５０を損傷することもないのである。
【００３４】
また、ホルダー本体３４は前記の通り指で自由に回動させることができるので、測定子５０を軸回動させれば、測定子５０が変形しているか否かは、目視により簡単に判断でき、また測定子が炭素棒５１であるときには、挿入位置の変更のためにいちいち挿し換えをしなくとも、ホルダー３４の回動操作で片減りを簡単に防止することができるのである。
【００３５】
なお、この図４〜７では、測定子５０の固定の際の接触面積を大きくとるために、駒３９を用いているが、測定子５０の固定手段として、例えば円柱状ホルダー本体３４の軸心部に下面から測定子挿入用の孔を削孔し（奥部に向って次第に細径となるテーパ孔としてもよい）、ホルダー本体３４の側面から上記測定子挿入孔に向ってネジ孔を開孔し、このネジ孔に図１に示す押ネジ２３、２８と同様の押ネジを螺入して、その先端で挿入孔に挿入した測定子の側面を圧接固定するように構成してもよいことは勿論である。
【００３６】
【発明の効果】
本発明のサベヤーは上述のように構成され、回転ブロックには測定杆や炭素棒、アンダーカットゲージなど、少なくとも２種以上の測定用部品を同時に取付けることができ、回転ブロックの回転操作により使用する部品を選択して垂直方向に向け、レバー操作により簡単に固定することができ、従来のように作業毎に部品を交換する必要もないのである。
【００３７】
また、本発明によれば、ロッドの昇降に際しては常に制動がかかるように構成されており、測定作業中に自重でロッドが落下して、歯列顎模型や測定用部品を損傷するようなこともなく、更に測定杆等の測定子を保持するホルダーを上昇方向に賦勢して使用の際に引き下ろすようにしておけば、下方に置いた歯列顎模型や測定子自体の損傷を防止することもできる等、種々の利点を有する。
【図面の簡単な説明】
【図１】本発明に係る歯科用サベヤーの側面図である。
【図２】本発明の要部の断面図である。
【図３】本発明の要部の分解斜視図である。
【図４】本発明の歯科用サベヤーにおけるホルダー部分の他の例を示す断面側面図であって、ホルダー不使用時の状態を示す。
【図５】本発明の歯科用サベヤーにおけるホルダー部分の他の例を示す断面側面図であって、ホルダーを引き下ろした状態の状態を示す。
【図６】図４のＸ−Ｘ断面図である。
【図７】本発明の歯科用サベヤーにおけるホルダー部分の他の例を示す分解斜視図である。
【符号の説明】
１−支持アーム
２−基台
３−支柱
４−ロッド
５−抱持金物
６−支持金物
７−締付け用シャフト
８−回転ブロック
９−凹部
１０−シャフト挿通孔
１１−凹窪
１２−圧接板
１３−キー溝
１４−ピン
１５−ネジキャップ
１６−レバー
１７−Ｖ型溝
１８−鋼球
１９−貫通孔
２０−圧縮コイルスプリング
２１−ホルダー
２２−ネジ孔
２３−押ネジ
２４−凹溝
２５−貫通孔
２６−鋼球
２７−圧縮コイルスプリング
２８−押ネジ
２９−蓋板
３０−シャフト挿通孔
３１−套菅
３２−支持軸
３３−圧縮コイルスプリング
３４−ホルダー本体
３５−貫通孔
３６−縦スリット
３７−軸体
３８−つまみナット
３９−駒
４０−軸支部
５０−測定杆
５１−炭素棒
５２−アンダーカットゲージ
５３−歯列顎模型
【図１】
0003799526.tif 000002
【図２】
0003799526.tif 000003
【図３】
0003799526.tif 000004
【図４】
0003799526.tif 000005
【図５】
0003799526.tif 000006
【図６】
0003799526.tif 000007
【図７】
0003799526.tif 000008